(57)【要約】【課題】  カスタマイズ画面をユーザーの所望するカメラにて効率良く構築できるようにしたカスタマイズ画面方式及び、この方式を備えた雲台回線切り替えシステムを提供すること。【解決手段】  撮像装置を１つあるいは複数表示可能なカスタマイズ画面方式であって、外部から所定の情報を入手可能にした情報取得部と、撮像装置を表示する表示部と、該情報をスコアに変換するスコア算出部と、該スコアを該撮像装置毎に記憶する記憶部と、該情報にて該撮像装置毎にスコアを算出して該記憶部へ格納し、該記憶部から該撮像装置を取り出して該表示部へ表示することを特徴とする。【選択図】  図１
2020136979.tif 000002
【特許請求の範囲】
【請求項１】
撮像装置を１つあるいは複数表示可能なカスタマイズ画面方式であって、
外部から所定の情報を入手可能にした情報取得部と、
撮像装置を表示する表示部と、
該情報をスコアに変換するスコア算出部と、
該スコアを該撮像装置毎に記憶する記憶部と、
該情報にて該撮像装置毎にスコアを算出して該記憶部へ格納し、
該記憶部から該撮像装置を取り出して該表示部へ表示することを特徴とするカスタマイズ画面方式。
【請求項２】
前記所定の情報は、外部情報とカメラ制御情報の少なくとも１つを含むことを特徴とする請求項１に記載のカスタマイズ画面方式。
【請求項３】
前記外部情報は、オンエア情報、放送原稿情報、気象情報、事件情報、季節情報、催し物情報、の少なくとも１つを含むことを特徴とする請求項２に記載のカスタマイズ画面方式。
【請求項４】
前記外部情報は、スタジアム、大規模公共施設、病院、複合オフィスビル、警察、刑務所、学園キャンパスを含む施設情報の少なくとも１つを含むことを特徴とする請求項２に記載のカスタマイズ画面方式。
【請求項５】
前記カメラ制御情報は、撮像装置の制御回線情報、撮像装置のパンチルトう状態を表す雲台情報、撮像装置のカメラ自身に係るカメラ制御情報の少なくとも１つを含むことを特徴とする請求項２に記載のカスタマイズ画面方式。
【請求項６】
前記制御回線情報は、回線接続状態、回線接続途中状態、回線保留状態、操作器接続途中状態、操作器接続状態の少なくとも１つを含むことを特徴とする請求項５に記載のカスタマイズ画面方式。
【請求項７】
前記雲台情報は、雲台の仕様情報、雲台の設置情報、雲台の補正情報、雲台の現在の動作情報の少なくとも１つを含むことを特徴とする請求項２に記載のカスタマイズ画面方式。
【請求項８】
前記カメラ制御情報は、オートホワイト情報、オートブラック情報、ゲイン情報、カラーフィルター情報、ＮＤフィルター情報、オート情報、ＥＣＵ情報、シャッター情報の少なくとも１つを含むことを特徴とする請求項２に記載のカスタマイズ画面方式。
【請求項９】
前記カメラ制御情報は、ズーム比、エクステンダー、焦点距離、画角、至近距離、ＩＳの有無のレンズ情報の少なくとも１つを含むことを特徴とする請求項２に記載のカスタマイズ画面方式。
【請求項１０】
前記表示部は、前記撮像装置をスコア順に表示することを特徴とする請求項１に記載のカスタマイズ画面方式。
【請求項１１】
前記スコア算出部は、前記所定の情報をスコアに変換して出力することを特徴とする請求項１に記載のカスタマイズ画面方式。
【請求項１２】
前記スコア算出部は、前記所定の情報をスコアに変換する際に、前記外部情報を外部情報スコアに変換、前記カメラ制御情報をカメラ制御情報スコアに変換、と、２つに分けてスコアに変換することを特徴とする請求項１に記載のカスタマイズ画面方式。
【請求項１３】
前記スコア算出部は、前記外部情報スコアを算出する際に、特定の外部要因である場合にスコアを高くすることを特徴とする請求項１に記載のカスタマイズ画面方式。
【請求項１４】
前記外部要因は、前記オンエア状態がオンエアの場合と、前記原稿情報にカメラ名称が含まれる場合と、前記外部情報の名称にカメラ名称が含まれる場合と、前記外部情報にて地図の目的物と範囲を設定し、その中に設置されている撮像装置が有る場合と、前記外部情報にて前記目的物が移動する方向を算出し、その方向に撮像装置があることを要因とする請求項１３に記載のカスタマイズ画面方式。
【請求項１５】
前記スコア算出部は、前記カメラ制御情報スコアを算出する際に、特定のカメラ要因である場合にスコアを高くすることを特徴とする請求項１に記載のカスタマイズ画面方式。
【請求項１６】
前記カメラ要因は、前記オートホワイト状態が済みの場合と、前記ゲイン操作が行われた場合と、前記フィルター操作が行われた場合の少なくとも１つを含む請求項１５に記載のカスタマイズ画面方式。
【請求項１７】
前記スコア算出部は、時刻経過を検出する手段を備え、前記カメラ要因が３時間を超えるとスコアをゼロにすることを特徴とする請求項１に記載のカスタマイズ画面方式。
【請求項１８】
前記スコア算出部は、前記カメラ制御情報より前記外部情報の方の変換度合を高くしたことを特徴とする請求項１に記載のカスタマイズ画面方式。
【請求項１９】
撮像装置を表示する表示部と、
外部から情報を入手可能にした情報取得部と、
該情報をスコアに変換するスコア算出部と、
該スコアを該撮像装置毎に記憶する記憶部と、
該情報にて該撮像装置毎にスコアを算出して該記憶部へ格納し、
該記憶部から該撮像装置を取り出して該表示部へ表示することを特徴とするカスタマイズ画面方式を備えた事を特徴とする雲台回線切り替えシステム。
【請求項２０】
撮像装置を表示する表示部と、
外部から情報を入手可能にした情報取得部と、
該情報をスコアに変換するスコア算出部と、
該スコアを該撮像装置毎に記憶する記憶部と、
該情報にて該撮像装置毎にスコアを算出して該記憶部へ格納し、
該記憶部から該撮像装置を取り出して該表示部へ表示することを特徴とするカスタマイズ画面方式を備えた事を特徴とする監視カメラシステム。
【発明の詳細な説明】
【技術分野】
【０００１】
本発明は、雲台回線切り替えシテムに関するものであり、特に制御端末における雲台カスタマイズ画面構築の効率化に関する。
【背景技術】
【０００２】
カメラを搭載してパンチルトが可能な雲台を遠隔制御する雲台システムが、放送局や監視用途で使われていることが知られている。雲台システムには各所に設置された複数のカメラが登録されており、ユーザーは、その中から所望するカメラを選択して操作を行う。そのため、雲台システムには、ユーザーが多くのカメラから任意のカメラを選択しやすいように、カテゴライズされたページが設けられている。例えば、海や山という雲台の設置場所に対して分類されたページや、五十音順などのページなどである。その他、ユーザーが任意のカメラを登録できるユーザーカスタマイズページがある。
【０００３】
従来、このユーザーカスタマイズページへのカメラの登録作業は、ユーザーが次の番組で使いたいカメラを自ら接続、操作して試用を繰り返しながらカメラを選定する必要があり煩雑であった。特許文献１には、複数の設定項目の中からよく使う項目にてカスタマイズ設定を構築できる技術が開示されている。
【先行技術文献】
【特許文献】
【０００４】
【特許文献１】特開平９−３０５３６０号公報
【発明の概要】
【発明が解決しようとする課題】
【０００５】
しかしながら、上記の特許文献１に開示された従来技術を適用すると、一義的に使用頻度の１番高いカメラが継続して設定される。このため、番組内容の趣向が違う場合においては、常に同じカメラが設定される場合があり、ユーザーは、その度に従来と同じ手順で趣向に合った所望のカメラを探して設定しなければならなかった。
【０００６】
また、事件が発生し、その場に近い場所にカメラをユーザーが使いたいと思っても、使用頻度が少ない場合、カスタマイズ画面に現われにくい為、ユーザーは従来と同じような手順にて場所の割り出し、カメラの検索などを行って該当するものを設定しなければならなかった。
【０００７】
そこで、本発明の目的は、カスタマイズ画面をユーザーの所望するカメラにて効率良く構築できるようにしたカスタマイズ画面方式及び、この方式を備えた雲台回線切り替えシステムを提供することにある。
【課題を解決するための手段】
【０００８】
上記の目的を達成するために、本発明に係るカスタマイズ画面方式は、
撮像装置を１つあるいは複数表示可能なカスタマイズ画面方式であって、
外部から所定の情報を入手可能にした情報取得部と、
撮像装置を表示する表示部と、
該所定の情報をスコアに変換するスコア算出部と、
該スコアを該撮像装置毎に記憶する記憶部と、
該所定の情報にて該撮像装置毎にスコアを算出して該記憶部へ格納し、
該記憶部からスコア順に該撮像装置を取り出して該表示部へ表示することを特徴とする。
【発明の効果】
【０００９】
本発明によれば、カスタマイズ画面をユーザーの所望するカメラにて効率良く構築できるようにしたカスタマイズ画面方式、及び、それを含む雲台回線切り替えシステムの提供を実現できる。
【図面の簡単な説明】
【００１０】
【図１】本発明に係るカスタマイズ画面方式を含む雲台回線切り替えシステムの略示的な全体ブロック図
【図２】本発明に係るカスタマイズ画面方式における処理のフローチャート図
【図３】同カスタマイズ画面方式におけるカメラ制御情報スコアを算出するフローチャート図
【図４】同カスタマイズ画面方式における外部情報スコアを算出するフローチャート図
【図５】同カスタマイズ画面方式における制御回線スコアを算出するフローチャート図
【図６】同カスタマイズ画面方式における雲台レンズスコアを算出するフローチャート図
【図７】同カスタマイズ画面方式におけるカメラスコアを算出するフローチャート図
【図８】同カスタマイズ画面方式における地図範囲を求めるフローチャート図
【図９】同カスタマイズ画面方式における地図範囲を求める際に参照するテーブル
【図１０】同カスタマイズ画面方式における移動方向範囲を求めるフローチャート図
【図１１】同カスタマイズ画面方式における移動方向範囲と撮像装置との関係。
【図１２】同カスタマイズ画面方式におけるスコアの付与と順序を表す表
【図１３】本発明に係るカスタマイズ画面方式を含む雲台回線切り替えシステムの第二の実施形態を表す略示的な全体ブロック図
【発明を実施するための形態】
【００１１】
以下、本発明を実施するための形態について、図面を参照しながら説明する。
【実施例１】
【００１２】
図１は、本発明の実施の形態におけるカスタマイズ画面をユーザーの所望するカメラ１９０にて効率良く構築できるようにしたカスタマイズ画面方式１を含んだ雲台回線切り替えシステムのブロック図である。
【００１３】
カスタマイズ画面方式１は、他の２つのブロックとやりとりを行っている。放送局内の設備全般を表した外部システム１００とは外部情報１０１のやりとりを行い、複数の操作器１４０と複数のカメラ１９０とを接続管理する回線管理部２とは、制御情報をカメラ情報１２１としてやりとりを行う。
【００１４】
まず、各ブロックの概要を説明する。
【００１５】
外部システム１００は、回線切り替えシステム以外の放送局内全ての設備を表している。外部システム１００は本実施例におけるカスタマイズ画面方式１と外部情報１０１のやりとりを行う。
【００１６】
カスタマイズ画面方式１は、本実施例における第一の実施形態である。制御部２０が主として、情報取得部１０、表示部３０、スコア算出部４０、記憶部５０により構成される。制御部２０は、情報取得部１０から得た情報をスコア算出部４０にてスコアに変換し、記憶部５０へ格納し、その内容を表示部３０へ表示を行う。
【００１７】
回線管理部２は、回線制御部１２０を主として、複数の操作器１４０、インターフェース１５０，１８０、マトリクス１６０、複数のカメラ１９０、表示操作部２００とから構成される。回線制御部１２０は、ユーザーの操作を表示操作部２００にて受け取り、複数のカメラ１９０と複数の操作器１４０の操作信号をインターフェース１５０と１８０で整え、また、制御信号の切り替えをマトリクス１６０に指示して行い、結果を表示操作部２００へ表示を行う。また、すべての情報はカメラ情報１２１として情報取得部１０へ出力する。
【００１８】
次に、ブロック毎に詳細する。
【００１９】
まず、外部システム１００と、外部情報１０１を詳説する。
【００２０】
外部システム１００は具体的には放送局の番組運行管理システムや天気予報システム設備のことを示している。外部情報１０１は、外部システム１００と本実施例におけるカスタマイズ画面方式１の情報取得部１０とでやりとりされる情報である。具体的には、番組毎の台本情報、ニュース番組のニュース原稿、オンエアの状態などがある。台本には番組の運行が記載されている。何処の景色をトップの絵として使用するか、どこの桜の景色を使うなど地域を特定できる情報がある。また、ニュース原稿には、気象事変、例えば竜巻が何処で発生し、どの方向に向かっているか、事件がどこで起ったかなどの場所情報が記載されている。
【００２１】
次に回線管理部２の各々のブロックについて詳述する。
【００２２】
カメラ記憶部１１０は、カメラ１９０の静的な情報を格納したデータベースである。格納されている内容は、カメラ１９０の設置場所に関するもの、カメラ１９０の雲台に関するもの、搭載カメラに関するものなどがある。カメラ１９０の設置場所に関する具体的な内容については、都道府県、標高、設置角度、北補正値、制御回線種類、制御回線使用インターフェースなどがある。また、カメラ１９０の雲台に関する具体的な内容については、機種名、使用条件、耐風速、動作範囲、動作速度（最大）、静止精度、現在の動作角度、搭載カメラなどがある。搭載カメラに関する内容については、機種名、テレビジョン方式、光学フィルター情報、解像度、シャッター情報、電子ズーム情報、消費電力などがある。また、搭載カメラに接続されるレンズについても、メーカー名、型番、倍率、画角情報、ＩＳの有無、などの静的な内容が格納されている。
【００２３】
表示操作部２００は、ユーザーからの操作を受ける部分と、ユーザーへ現在のシステム状況を伝えるための表示器を備える。操作を受ける部分については、ＰＣのマウスインターフェースや、タッチパネル、スタイラスなどがある。また、表示器については、ＰＣモニターや映像モニターなどを示している。
【００２４】
操作器１４０はカメラ１９０を操作する為の操作器であり、ユーザーの操作に応じて操作信号をインターフェース１５０へ送信する。有する機能としては、カメラ１９０のパンチルト制御、カメラ１９０が搭載するカメラへの制御機能、搭載レンズの制御機能、カメラ映像の表示機能などがある。
【００２５】
インターフェース１５０は、操作器１４０と、マトリクス１６０とを信号を中継するインターフェースである。操作器１４０から出力されるカメラ１９０の操作信号をマトリクス１６０の入力に適合するものにインターフェースする。雲台回線切り替えシステムは、通常、放送局内では回線センターと呼ばれる操作器１４０が置かれるスタジオ副調整室とは離れた社屋に設置される為、操作器１４０の信号を延長する必要がある。インターフェース１５０は、操作器１４０から出力されるＲＳ−２３２Ｃを、長距離に有利なＲＳ−４２２信号や、ＬＡＮ、光信号や、利便性の良い無線信号へ変換する機能を有している。
【００２６】
操作信号モニター１３０は、インターフェース１５０が操作器１４０の操作信号をマトリクス１６０に適合した信号に変換する際に、信号自体を複製して出力したものである。
マトリクス１６０は、内部に、入力、出力の通信信号のマトリクス切り替え部を持つスイッチャーである。操作器１４０と、カメラ１９０との通信を、回線制御部１２０の指示に従ってマトリクススイッチングする。
【００２７】
インターフェース１８０は、各地に設置されたカメラ１９０とマトリクス１６０との間の信号を合わせる機能を持っている。カメラ１９０が使用する制御回線種別毎に対応して設けられたインターフェースと同じものが設置されている。例えば、カメラ１９０の制御回線が専用回線であれば専用モデムが設置されている。また、公衆回線であれば公衆モデムが設置され、携帯回線であればＩＰルーターなどが設置されている。また、カメラ１９０が光やＩＰ回線を使用した場合はネットワークインターフェースをインターフェース１８０として使用する。また、このインターフェース１８０は回線制御部１２０側からの指示に従って制御回線の接続、切断を行う。さらに、インターフェース１８０は、カメラ１９０毎の制御状態や、制御データを回線制御部１２０に制御信号モニター１７０として出力する。
【００２８】
制御信号モニター１７０は、回線制御部１２０とインターフェース１８０間でやりとり
される制御データであり、カメラ１９０の制御回線の接続状態や、カメラ１９０の制御状態が含まれている。
【００２９】
カメラ１９０は、放送局用の高級監視用途から通常の監視用途向けの、パンチルトができない固定型とパンチルトが可能な雲台と、その雲台に搭載したカメラやレンズを総称したカメラシステムである。カメラ１９０は、放送局であれば高いビルや橋や山や海、風光明媚な各所、監視カメラであれば街頭、道路など設置され、放送局や監視拠点から遠隔制御される。
【００３０】
回線制御部１２０は、表示操作部２００と、カメラ記憶部１１０と、マトリクス１６０と、インターフェース１５０、インターフェース１８０と、情報取得部１０とやりとりを行う。まず、ユーザーが、表示操作部２００を操作して、操作器１４０とカメラ１９０の接続の組み合わせを指定する。すると、まず、回線制御部１２０は、指定カメラ１９０が使用している制御回線の種別をカメラ記憶部１１０から取得する。そして、インターフェース１８０を制御してカメラ１９０が使用している制御回線の接続を行う。具体的には、回線種別が公衆回線であればモデムの制御を行う。また、回線種別がＩＰ回線であればＴＣＰやＵＤＰでのＩＰ接続を行う。その後、回線制御部１２０は、マトリクス１６０に指示し、操作器１４０とカメラ１９０と接続する。これで、操作器１４０からカメラ１９０の制御が可能となる。この制御の様子は、表示操作部２００にも表示されユーザーは制御状態を把握することが可能である。また、この様子は、情報取得部１０へもカメラ情報１２１として伝えられる。
【００３１】
最後に、カスタマイズ画面方式１の各々のブロックについて詳述する。
【００３２】
情報取得部１０は、回線管理部２の回線制御部１２０と通信を行ってカメラ情報１２１の取得を行う。このカメラ情報１２１は、回線管理部２のカメラ記憶部１１０に格納されているカメラ１９０の静的情報と、カメラ１９０が制御されている際の動的な情報がある。また、情報取得部１０は、外部システム１００と通信を行って外部情報１０１の取得を行う。
【００３３】
スコア算出部４０は、入力された情報をスコアに変換する。情報の内容に対応したスコアを算出して結果を返す。
【００３４】
記憶部５０は、カメラ１９０をスコア毎に保持するリストである。
【００３５】
表示部３０は、本実施例の雲台カスタマイズ画面としての表示器である。ユーザーの所望するカメラ１９０が表示される。
【００３６】
制御部２０は、情報取得部１０と、スコア算出部４０と、記憶部５０と、表示部３０とやりとりを行う。情報取得部１０を経由して得た外部情報１０１やカメラ情報１２１をスコア算出部４０に入力し、変換されたスコアを記憶部５０に逐次格納し、記憶部５０からスコア順にカメラ１９０を取り出し表示器３０に表示を行う。
【００３７】
次に図２〜図１２の概要を説明する。
【００３８】
図２は、本実施例の形態におけるカスタマイズ画面方式１の、制御部２０の動作を表した処理ループのフローチャートである。カメラ情報１２１と外部情報１０１の情報をスコアに変換する。そして、そのスコアを記憶部５０に反映して表示を行う。
【００３９】
図３は、図２のフローチャート内のステップＳ４００カメラ制御情報スコア算出において、カメラ情報１２１をスコアに変換する処理手順を表したフローチャートである。カメラ１９０が使用する制御回線に起因するスコアと、カメラ１９０のパンチルトを行う雲台状態に起因するスコアと、カメラ１９０に搭載されたカメラ自身やレンズの状態に起因するスコアを求める処理手順を表す。
【００４０】
図４は、図２のフローチャート内のステップＳ５００外部情報スコア算出において、外部情報１０１をスコアに変換する処理手順を表したフローチャートである。外部情報１０１の各項目をカメラ１９０に関連付けて対応するスコアに変換する。
【００４１】
図５は、図３のフローチャートのステップＳ４１０制御回線スコア算出の処理手順を示したフローチャートである。カメラ１９０が使用する制御回線の種類や状態に応じたスコアの付与の仕方を表している。
【００４２】
図６は、図３のフローチャートのステップＳ４２０雲台レンズスコア算出の処理手順を示したフローチャートである。カメラ１９０のパンチルト状態やレンズ状態に応じたスコアの付与の仕方を表している。
【００４３】
図７は、図３のフローチャートのステップＳ４３０カメラスコア算出の処理手順を示したフローチャートである。カメラ１９０が搭載するカメラ自身の状態に応じたスコアの付与の仕方を表している。
【００４４】
図８は、図４のフローチャートのステップＳ５３０地図範囲算出の処理手順を示したフローチャートである。外部情報１０１の事象名称や、ワードから、地図上の適用範囲を算出する為の処理手順を示したものである。
【００４５】
図９は、図８の地図範囲算出にて使用する事象名称とワードに対応した適用範囲をテーブル表にしたものである。
【００４６】
図１０は、図４のフローチャートのステップＳ５６０移動方向範囲算出の処理手順を示したフローチャートである。
【００４７】
図１１は、図１０のフローチャートのステップＳ５６１範囲計算領域設定の処理を説明する為の図である。事象が意味する目的と、その適用範囲と、その目的が移動する方向に位置するカメラ１９０の関係を表している。
【００４８】
図１２の表１は、記憶部５０に格納されるカメラ１９０毎のスコアの付与の様子と合計を表したもので、表２は、スコア順にカメラ１９０を並べたものである。
【００４９】
次に前述した図３〜図１２のフローチャートで表した処理を詳説する。
【００５０】
図３、ステップＳ４００では、カメラ制御情報スコアを算出するために、カメラ情報１２１を、制御回線、雲台状態、カメラ状態に分けて算出する。まず、ステップＳ４１０では、カメラ１９０が使用する制御回線に関する内容にてスコアを算出する。ステップＳ４１０の詳細な内容は後述する。そして、ステップＳ４２０へ移行する。ステップＳ４２０では、カメラ１９０のパンチルト雲台とレンズ状態に関する内容にてスコアを算出する。ステップＳ４２０の詳細な内容については後述する。そしてステップＳ４３０へ移行する。ステップＳ４３０では、カメラ１９０が搭載するカメラ自身の状態に関する内容にてスコアを算出する。
【００５１】
図５、ステップＳ４１０では、カメラ情報１２１のカメラ１９０が使用する制御回線に関する内容にてスコアを算出する。ステップＳ４１１では制御回線が接続中であるかをチェックする。接続中であればステップＳ４１２へ移行する。接続中でなければステップＳ４１３へ移行する。
【００５２】
ステップＳ４１３では、スコアをクリアーして戻る。
【００５３】
ステップＳ４１２では、スコアに５０を設定する。そしてステップＳ４１４へ移行する。
【００５４】
ステップＳ４１４では、制御回線が公衆回線かどうかをチェックする。公衆回線であればステップＳ４１５へ移行し、公衆回線でなければ戻る。
【００５５】
ステップＳ５１５では、接続時間に１０を掛けたものをスコアにプラスする。
そして親へ戻る。
【００５６】
図６、ステップＳ４２０では、カメラ情報１２１のカメラ１９０の雲台レンズ状態に関する内容にてスコアを算出する。ステップＳ４２１では、雲台のショット状態が特定位置のショット値であるかどうかをチェックする。該当値であればステップＳ４２３へ移行する。
【００５７】
ステップＳ４２３では、スコアをクリアーする。そしてステップＳ４２４へ移行する。
【００５８】
ステップＳ４２２では、スコアを１００に設定し、ステップＳ４２４へ移行する。
【００５９】
ステップＳ４２４では、レンズの状態がワイド状態であるかどうかをチェックする。ワイドであれば戻る。ワイドで無ければスコアを１００プラスする。そして戻る。
【００６０】
図７、ステップＳ４３０では、カメラ情報１２１のカメラ１９０のカメラ自身の状態に関する内容にてスコアを算出する。
【００６１】
ステップＳ４３１では、オートホワイトが済んでいるかをチェックする。未だであればステップＳ４４０へ移行する。済みであればステップＳ４３２へ移行する。
【００６２】
ステップＳ４４０では、時刻記憶変数Ｊに現在時刻を設定し、時間経過変数Ｔへ０を代入する。そして、ステップＳ４４１へ移行する。
【００６３】
ステップＳ４４１では、スコアをクリアーして親へ戻る。
【００６４】
ステップＳ４３２では、スコアを１５０プラスしてステップＳ４３３へ移行する。
【００６５】
ステップＳ４３３では、ゲイン操作が行われたかどうかをチェックする。未だであればステップＳ４３５へ移行する。行われていればステップＳ４３４へ移行する。
【００６６】
ステップＳ４３４では、スコアを１５０プラスする。そして、ステップＳ４３５へ移行する。
【００６７】
ステップＳ４３５では、フィルター操作が行われたかどうかをチェックする。未だであればステップＳ４３７へ移行する。行われていればステップＳ４３６へ移行する。
【００６８】
ステップＳ４３６では、スコアを１５０プラスする。そしてステップＳ４３７へ移行する。
【００６９】
ステップＳ４３７では、時刻記憶変数Ｊと現在時刻に相違があるかをチェックする。相違があった場合はステップＳ４３８へ移行する。同じだった場合はステップＳ４３９へ移行する。
【００７０】
ステップＳ４３８では、時刻経過変数に１をプラスする。そしてステップＳ４３９へ移行する。
【００７１】
ステップＳ４３９時刻経過変数が３より上かどうかをチェックする。上であった場合は、ステップＳ４４１へ移行する。上でなかった場合は、親へ戻る。
【００７２】
図４、ステップＳ５００では、外部情報１０１に関する内容にてスコアを算出する。
【００７３】
ステップＳ５０１では、オンエア状態かどうかをチェックする。オンエアであればステップＳ５０２へ移行する。オンエア状態でなければステップＳ５０３へ移行する。
【００７４】
ステップＳ５０２では、スコアに２００をプラスする。そしてステップＳ５０３へ移行する。
【００７５】
ステップＳ５０３では、ニュース原稿にカメラ名があるかどうかをチェックする。あった場合はステップＳ５０４へ移行する。存在しない場合はステップＳ５１０へ移行する。
【００７６】
ステップＳ５０４では、スコアに２００をプラスする。そしてステップＳ５１０へ移行する。
【００７７】
ステップＳ５１０では、外部情報１０１の名称にカメラ名称があるかどうかをチェックする。ある場合はステップＳ５２０へ移行する。存在しない場合はステップＳ５３０へ移行する。
【００７８】
ステップＳ５２０では、スコアに２００をプラスする。そしてステップＳ５３０へ移行する。
【００７９】
ステップＳ５３０では、外部情報１０１を基に地図上の適用範囲を算出する。詳細は後述する。そして、ステップＳ５４０へ移行する。
【００８０】
ステップＳ５４０では、前述した地図上の適用範囲に存在するカメラ１９０があるかどうかをチェックする。ある場合はステップＳ５５０へ移行する。存在しない場合はステップＳ５６０へ移行する。
【００８１】
ステップＳ５５０では、スコアに２００をプラスする。そして、ステップＳ５６０へ移行する。
【００８２】
ステップＳ５６０では、外部情報１０１を基に、目的とその目的が移動する方向の範囲を計算する。詳細は後述する。そして、ステップＳ５７０へ移行する。
【００８３】
ステップＳ５７０では、前述した移動方向範囲に存在するカメラ１９０があるかどうかをチェックする。あった場合はステップＳ５８０へ移行する。ない場合は親へ戻る。
【００８４】
ステップＳ５８０では、スコアに２００をプラスする。
そして親へ戻る。
【００８５】
図８、ステップＳ５３０では、外部情報１０１を地図上の適用範囲に変換を行う。
【００８６】
ステップＳ５３１では、図９に示した表を用いて外部情報１０１の名称をＮｏ１からスキャンする。そしてステップＳ５３２へ移行する。
【００８７】
ステップＳ５３２では、該当する名称があったかどうかをチェックする。あった場合はステップＳ５３３へ移行する。なかった場合は、戻る。
【００８８】
ステップＳ５３３では、該当した名称に対応した地図上の範囲と、また、検索ワードがあった場合は、前方にある数字（距離）を範囲データとして設定する。そして親へ戻る。
【００８９】
図１０、ステップＳ５６０では、外部情報１０１を基に、目的と、目的が向かっている方角に関する領域を算出する。
【００９０】
ステップＳ５６１では、範囲計算領域を設定する。具体的には図１１に示すように、外部情報１０１から目的の対象７００を割り出す。例えば、図９を用いてスキャンしＮｏ１に示した台風であったり、Ｎｏ２の竜巻であったりを取得する。次に、その対象７００が移動している方向を外部情報１０１から検索を行う。図１１の場合は“北東”という文字があったとする、例えば、竜巻の直径１０ｋｍが７０１の範囲となり、移動方向が北東となる。その対象７００が移動する領域にカメラ７０４とカメラ７０５が存在する。そして親へ戻る。
【００９１】
次に、図１２で示した本実施例でのスコアの付与の様子とカメラ順との対応を詳説する。
【００９２】
図１２の表１では、カメラ情報１２１と外部情報１０１のパラメータにてスコアが決定する様子を表している。例えば、Ｎｏ１ではカメラ１９０は待機状態を表す、制御回線が切断状態、雲台はＳＨＯＴ８の待機位置であり、その場合は、スコアはゼロである。Ｎｏ２では制御回線が接続された状態を意味し、スコアは５０となった。更に、Ｎｏ３では、回線費用がかかる公衆回線を使って、雲台のパンチルト状態をＳＨＯ８ではない、また、外部情報１０１から竜巻と北東というキーワードが得られ、合計スコアは５００になった。Ｎｏ４では、Ｎｏ２の接続状態でカメラ制御のオートホワイトが操作された。オートホワイトは映像作りの基本操作であり、合計のスコアは２００となった。Ｎｏ５では回線費用のかかる公衆回線を使って接続し、外部情報１０１から事件というキーワードが得られた為、スコアは３００となった。図１２の表２では、表１のスコアの多い順にカメラ番号が並べられている。スコアの付与の手順は前述のフローで説明したとおり、また、全体の説明は後述する。
【００９３】
最後に本実施例の効果について、図１におけるカスタマイズ画面方式１の動作を、図１と図２のフローチャートを用いて順に詳説する。
【００９４】
まず、カスタマイズ画面方式１の情報取得部１０に入力されるカメラ情報１２１と、放送情報１２と、事象情報１３の発生について詳述する。
【００９５】
カメラ情報１２１は、回線管理部２が持つ情報であり、やりとりの方式としては３つある。１つは、カスタマイズ画面方式  １の情報取得部１０から回線制御部１２０へ要求を送ることに対して情報を返信するポーリング方式。２つめは、変化があった際に回線制御部１２０から情報取得部１０へ情報を通知する通知方法。３つめは、常に回線制御部１２０から情報取得部１０へ全ての情報を連続的に送る連続データ送出方式である。また、これらに限らず、回線管理部２が持つ情報が情報取得部１０に届けられればそれで良い為、この３つの方式に限ったものではない。
【００９６】
カメラ情報１２１の種類は、カメラ１９０に関して前述したように静的なものと動的なものの２種類がある。静的なものはカメラ１９０が動作する上で必要な設定情報で、カメラ記憶部１１０に格納されており、回線制御部１２０が取得し情報取得部１０へ伝送する。
動的な情報としては、回線管理部２のカメラ１９０が動作している状態を、操作信号モニター１３０や制御信号モニター１７０として取得を行って情報取得部１０へ伝送する。
【００９７】
次に、図２の処理ループステップＳ３００を用いて、図１のカスタマイズ画面方式  １の制御部２０の処理内容の手順を示しながら効果について詳述する。
【００９８】
まず、ステップＳ３０１では、制御部２０は、情報取得部１０を経由してカメラ情報１２１の有無をチェックする。カメラ情報１２１は、カメラ記憶部１１０の設定情報が変化した場合や、操作器１４０とカメラ１９０との回線接続状態が変化した場合に発生する。この情報が有った場合はステップＳ４００へ移行する。情報が無かった場合はステップＳ３０３へ移行する。
【００９９】
ステップＳ４００では、制御部２０は、カメラ情報１２１の情報をスコア算出部４０へ出力し、スコア算出部４０から出力されたスコアにて記憶部５０をカメラ１９０毎に更新する。つまり、回線管理部２のカメラ１９０に関する特有の制御時の変化がスコアに変換されることになる。そして、ステップ３０３へ移行する。
【０１００】
ステップ３０３では、制御部２０は、情報取得部１０を経由し外部情報１０１の有無をチェックする。情報が有った場合はステップＳ５００へ移行する。情報が無かった場合はステップＳ３０５へ移行する。
【０１０１】
ステップＳ５００では、制御部２０は、外部情報１０１の情報をスコア算出部４０へ出力し、スコア算出部４０から出力されたスコアにて記憶部５０をカメラ１９０毎に更新する。つまり、外部情報１０１に関する特有の内容がスコアに変換されることになる。
【０１０２】
ステップＳ３０５では、制御部２０は、最終的にカメラ１９０毎にスコアが更新されたスコアを順に並べ替える。そして、ステップＳ３０６へ移行する。
【０１０３】
ステップＳ３０６では、記憶部５０に格納されたスコア毎のリストを表示部３０へ表示を行う。
【０１０４】
記憶部５０には、ステップＳ４００において、回線管理部２のカメラ１９０に関する特有の変化と、ステップＳ５００にて外部情報１０１に関する特有の内容とがスコアに反映されたものが出来上がっている。この記憶部５０の内容を表示部３０に表示してカスタマイズ画面とする。
【０１０５】
また、スコアの付け方をカメラ情報１２１＜外部情報１０１とした事で、使用頻度が少ないカメラ１９０でもカスタマイズ画面に表示されることとなり、ユーザーが容易に選択が可能となり、急な運用にも即座に答えることができる。
【０１０６】
即ち、本実施例では、カスタマイズ画面を諸情報によるスコアの付け方を工夫した事で、ユーザーの所望するカメラ１９０のリストが自動的に表示されることとなる。
【０１０７】
上述した第１の実施例によれば、ユーザーの所望するカメラ１９０にて自動的に効率良く構築できるようにしたカスタマイズ画面方式、及び、雲台回線切り替えシステムを提供することができる。
【０１０８】
以上、本発明の好ましい実施形態について説明したが、本発明はこれらの実施形態に限定されず、その要旨の範囲内で種々の変形及び変更が可能である。
【実施例２】
【０１０９】
以下、図１３を参照して、本発明の第２の実施例におけるカスタマイズ画面方式を含む雲台回線切り替えシステムについて説明する。
【０１１０】
図１３は、本発明の実施の形態に係るブロックである。
【０１１１】
本実施例では、図１のカスタマイズ画面方式の制御部２０を回線制御部１２０ａに置き換え、また、表示部３０を表示操作部２００ａに置き換えて構成している。情報取得部１０と、スコア算出部４０と、記憶部５０、外部システム１００は図１から変更していない。
【０１１２】
置き換えた部分の回線制御部１２０ａと、表示操作部２００ａについて詳説する。
【０１１３】
回線制御部１２０ａは、図１におけるカスタマイズ画面方式の制御部２０と回線管理部２の回線制御部１２０との機能を併せ持つ。内部に図１のカメラ情報１２１を所有し、カメラ１９０と操作部１４０との回線制御をマトリクス１６０に指示して行う。ユーザーの操作は、表示操作部２００ａにて受け、回線制御結果を表示操作部２００ａに表示を行う事でユーザーが確認できる。また、回線制御部１２０ａは、外部システム１００から外部情報１０１を情報取得部１０から得る。この情報をスコア算出部４０に出力し、スコアに変換して、記憶部５０を更新する。そして、記憶部５０の結果を表示操作部２００ａへ表示を行う。
【０１１４】
表示操作部２００ａは、従来の回線制御結果と、本実施例に係るカスタマイズ画面方式のスコア結果の２つを表示する表示器である。２つの表示を１つのウインドウ、または、別のウインドウに表示しても良い。更に、２つを重ねて表示しても良い。
【０１１５】
次に、本実施例の効果について、本第２の実施例を第１の実施例との違いを説明しながら、図２のフローチャートを用いて詳説する。
【０１１６】
処理ループステップＳ３００では、まず、ステップＳ３０１にてカメラ情報１２１があるかどうかをチェックする。図１を示した第１の実施例では、情報取得部１０から回線制御部１２０の所持するカメラ情報１２１を得たが、本構成では、既に回線制御部１２０ａが所持している為、内部情報からカメラ情報１２１の有無をチェックする。内部処理にてカメラ情報１２１が有った場合は、ステップＳ４００へ移行する。ない場合はステップＳ３０３へ移行する。
【０１１７】
ステップＳ４００では、図１のカメラ情報１２１に該当する情報にてスコアを算出する。この処理は第１の実施例と第２の実施例と同様である。ステップＳ３０３〜ステップ３０６についても回線制御部１２０ａが制御部２０に置き代わって処理手順を進めて完了する。
【０１１８】
上述した第２の実施例においても、第１の実施例同様に外部情報１０１や内部のカメラ情報１２１を工夫してスコアに変換して反映させカメラ１９０のリストを構築してカスタマイズ画面を構築する。この構成においても第１の実施例同様に、番組が変更された時の柔軟な対応や、急な事変に対応が可能となり、効率的にユーザーが所望するカスタマイズ運用状況を構築が可能である。
【０１１９】
上述した第２の実施例においても、ユーザーの所望するカメラ１９０にて自動的に効率良く構築できるようにしたカスタマイズ画面方式、及び、雲台回線切り替えシステムを提供することができる。
【０１２０】
以上、本発明の好ましい実施形態について説明したが、本発明はこれらの実施形態に限定されず、その要旨の範囲内で種々の変形及び変更が可能である。
【符号の説明】
【０１２１】
１  カスタマイズ画面方式、１０  情報取得部、２０  制御部、
３０  表示部、４０  スコア算出部、５０  記憶部
【図１】
2020136979.tif 000003
【図２】
2020136979.tif 000004
【図３】
2020136979.tif 000005
【図４】
2020136979.tif 000006
【図５】
2020136979.tif 000007
【図６】
2020136979.tif 000008
【図７】
2020136979.tif 000009
【図８】
2020136979.tif 000010
【図９】
2020136979.tif 000011
【図１０】
2020136979.tif 000012
【図１１】
2020136979.tif 000013
【図１２】
2020136979.tif 000014
【図１３】
2020136979.tif 000015